(57)【特許請求の範囲】
【請求項１】
ベビーカー本体の左右のアームレストの外側面にボスを外方へ突出させるとともに、チャイルドシートの下方両側であってチャイルドシートのハンドルを揺動固定可能に装着するハンドル取付ケース内に、上記アームレストの外側面に突出するボスに係合しロックするロック装置を設け、ベビーカー本体に対してチャイルドシートを着脱自在とし、左右の上記ハンドル取付ケースをベビーカー本体の左右のアームレストの上部及び外側に係合させることにより、チャイルドシートをベビーカー本体に装着するようにしたことを特徴とする、ベビーカー。
【請求項２】
上記ロック装置は、チャイルドシートに対して回動可能に装着され、その回動によって上記ボスに係合しチャイルドシートのロックを行うとともに、常時ロック方向に付勢されているロック部材を有することを特徴とする、請求項１記載のベビーカー。
【請求項３】
上記ロック部材は上記ボスの下部に係合する爪部を有し、その爪部の下面にはチャイルドシートの装着時に上記ボスとの当接によりロック部材をロック解除方向に揺動させる案内面が形成されていることを特徴とする、請求項２記載のベビーカー。
【請求項４】
チャイルドシートには、上記ロック部材がロック解除方向に回動されたときロック部材に設けられた突起部に係合し、そのロック部材をロック解除位置に自動固定するストッパーが、上記ロック部材の軸に対して偏心した軸線周りに揺動可能に設けられていることを特徴とする、請求項２または３記載のベビーカー。
【請求項５】
上記ストッパーには、下方に延びるストップ解除杆が形成されており、そのストップ解除杆の下部にはチャイルドシートが持ち上げられたとき前記ボスに当接し、ロック部材に設けられた突起部とストッパーとの係合を離脱させロック部材をロック解除位置から自動復帰させるロック解除作動部が突設されていることを特徴とする、請求項４記載のベビーカー。
【発明の詳細な説明】
【０００１】
【発明の属する技術分野】
本発明はベビーカーに係り、特にチャイルドシートを着脱可能としたベビーカーに関する。
【０００２】
【従来の技術及び発明が解決しようとする課題】
一般に、例えば１歳未満のような幼児を乗用車に乗せる場合にはチャイルドシートを使用することが行われている。このようなチャイルドシートには、乗用車の座席に設けられた杆状部材に上記チャイルドシートを装着固定するものと、座席のシートベルトを使用してチャイルドシートを座席に固定するものとがあり、いずれのものにおいてもチャイルドシートは座席に対して着脱可能としてある。
【０００３】
しかして、上記チャイルドシートは、乗用車の座席から取り外した場合には、幼児をチャイルドシートに寝かせたまま移動するためのキャリーとして、或いは床上に置いてロッキングチェアまたは通常の椅子として使用することができる。ところで、上記チャイルドシートをベビーカーのシートとして使用するようにしたものも提案されているが、この場合にはベビーカー本体が比較的大型のものであり、しかもベビーカー本体にチャイルドシートを固定する方式として専用のアタッチメントや部品が必要であり、着脱が面倒で部品点数が多い等の問題がある。また、ベビーカー本体がチャイルドシートを専用のシートとして使用するように構成されているため、チャイルドシートを取り外した状態の車体はベビーカーとしては使用できない等の問題もある。
【０００４】
本発明は、このような点に鑑み、専用のアタッチメント部品等を必要とせず、確実にベビーカー本体にチャイルドシートを固定することができるとともに、チャイルドシートをベビーカー本体から取り外した状態でもベビーカーとして機能し得るようにしたベビーカーを得ることを目的とする。
【０００５】
【課題を解決するための手段】
請求項１に係る発明は、ベビーカー本体の左右のアームレストの外側面にボスを外方へ突出させるとともに、チャイルドシートの下方両側であってチャイルドシートのハンドルを揺動固定可能に装着するハンドル取付ケース内に、上記アームレストの外側面に突出するボスに係合しロックするロック装置を設け、ベビーカー本体に対してチャイルドシートを着脱自在とし、左右の上記ハンドル取付ケースをベビーカー本体の左右のアームレストの上部及び外側に係合させることにより、チャイルドシートをベビーカー本体に装着するようにしたことを特徴とする。
【０００６】
請求項２に係る発明は、請求項１に係る発明において、上記ロック装置が、チャイルドシートに対して回動可能に装着され、その回動によって上記ボスに係合しチャイルドシートのロックを行うとともに、常時ロック方向に付勢されているロック部材を有することを特徴とする。
【０００８】
請求項３に係る発明は、請求項２に係る発明において、上記ロック部材が上記ボスの下部に係合する爪部を有し、その爪部の下面にはチャイルドシートの装着時に上記ボスとの当接によりロック部材をロック解除方向に揺動させる案内面が形成されていることを特徴とする。
【０００９】
請求項４に係る発明は、請求項２または３に係る発明において、チャイルドシートには、上記ロック部材がロック解除方向に回動されたときロック部材に設けられた突起部に係合し、そのロック部材をロック解除位置に自動固定するストッパーが、上記ロック部材の軸に対して偏心した軸線周りに揺動可能に設けられていることを特徴とする。
【００１０】
請求項５に係る発明は、請求項４に係る発明において、上記ストッパーには、下方に延びるストップ解除杆が形成されており、そのストップ解除杆の下部にはチャイルドシートが持ち上げられたとき前記ボスに当接し、ロック部材に設けられた突起部とストッパーとの係合を離脱させロック部材をロック解除位置から自動復帰させるロック解除作動部が突設されていることを特徴とする。
【００１１】
【発明の実施の形態】
以下、添付図面を参照して本発明の実施の形態について説明する。
【００１２】
図１はベビーカー本体の斜視図であって、そのベビーカー本体は、前輪１１を有する左右一対の前脚１２、後輪１３を有する左右一対の後脚１４、ほぼU字状に屈曲された手押し杆１５、左右一対のアームレスト１６、及びその両アームレスト１６、１６の間に掛け渡された着脱可能なガードアーム１７によって構成されている。上記手押し杆１５を構成する左右のパイプ１８の先端近傍部にはそれぞれ上記アームレスト１６の一端が枢着されており、その各アームレスト１６の他端に前脚１２の頂端部が枢着されている。また、左右の後脚１４の頂端部も上記アームレスト１６の中間部に枢着されており、その後脚１４の中間部にはく字状に屈曲されたブラケット１９の一端が枢着されている。そして、そのブラケット１９の中間位置に前記手押し杆１５を構成する左右のパイプ１８の先端部がそれぞれ枢着されており、ベビーカー本体の展開状態に於いて、上記ブラケット１９の他端に形成された係合部に上記パイプ１８の下端部に摺動可能に装着されたロック部材２０が係合し、その展開状態を維持するようにしてある。
【００１３】
一方、上記左右の前脚１２は前側連結バー２１によって連結されており、左右の後脚１４は後側連結バー２２によって連結されている。さらに、各前脚１２も中間部には連結バー２３の前端が枢着され、その連結バー２３の後端が上記ブラケット１９とともにパイプ１８の先端部に枢着され、また左右の連結バー２３の中間部が上側連結バー２４によって連結されている。
【００１４】
しかして、図１に示すように、パイプ１８の下端に設けられているロック部材２０をブラケット１９の上端に設けられている係止部に係合することによって、ベビーカー本体が使用可能な展開状態に保持される。一方、手押し杆１５に設けられている操作装置２５を操作することにより上記ロック部材２０とブラケット１９との係合が離脱されると、アームレスト１６及び連結バー２３が前記パイプ１８と各枢着点を中心として上方に揺動可能となり、前脚１２と後脚１４とがほぼ平行状態に揺動され、携帯に便利なように折り畳むことができる。
【００１５】
ところで、手押し杆１５、前側連結バー２１、後側連結バー２２、及び上側連結バー２４は、２つの同一垂直面内において各中間部の２カ所がジョイントにより折り畳み可能としてある。したがって、上述のように前脚１２と後脚１４が平行状態になるように折り畳んだ後、左右のパイプ１８を前方に移動させると、上記手押し杆１５、前側連結バー２１、後側連結バー２２及び上側連結バー２４の両側部が前方に折り曲げられ、ベビーカー本体は図２に示すようにさらにコンパクトに折り畳むことができる。すなわち、三つ折り状態に折り畳むことができる。
【００１６】
上記ベビーカー本体の構成は従来のものと同一であるが、本発明においては、左右の各アームレスト１６の外側中間部に外側方向に突出するボス２６が設けられている。また、左右のパイプ１８の中間部にはシートのリクライニング調節用のベルト２７が着脱可能に装着されている。
【００１７】
図３は上記ベビーカー本体に装着可能としたチャイルドシート３０の形状を示す斜視図であって、チャイルドシート３０には逆U字状のハンドル３１が揺動可能に設けられている。すなわち、チャイルドシート３０の両側部にはハンドル取付ケース３２が設けられており、そのハンドル取付ケース３２内に上記ハンドル３１の先端が挿入され揺動固定可能に装着されている。また、上記チャイルドシート３０の座部の両外側には、乗用車のシートにシートベルトを使用して上記チャイルドシート３０を固定するときのベルトガイド３３が設けられている。
【００１８】
ところで、上記ハンドル取付ケース３２内には、前記ベビーカー本体の左右のアームレスト１６に突設されたボス２６に係合しチャイルドシート３０をロックするロック装置３５が設けられている。すなわち、図４及び図５は上記ロック装置３５の構成を示す断面図であり、上記ハンドル取付ケース３２のチャイルドシート３０側壁面には上記アームレスト１６から突設されたボス２６に係合可能な上方に延びる切り欠き３６が形成されており、また上記ハンドル取付ケース３２内にはチャイルドシート３０から突出された軸３７に回動可能に装着されたロック部材３８が配設されている。
【００１９】
上記ロック部材３８には、そのロック部材３８の回動によって上記切り欠き３６内に位置するボス２６の下部に係合する爪部３９が一体的に形成されており、その爪部３９の下面には、その爪部３９の下面が上記ボス２６に当接したとき上記ロック部材３８をロック解放方向に揺動させる案内面３９aが形成されている。また、上記ロック部材３８はスプリング４０により上記爪部３９がロック方向に付勢されており、さらにその外周部にはハンドル取付ケース３２に形成された周方向に延びるスリット４１を経て外方に突出する摘み４２が設けられている。
【００２０】
また、ハンドル取付ケース３２内にはロック部材３８の軸３７に対して偏心した位置に軸４３が設けられており、その軸４３にストッパー４４が揺動可能に軸支されており、スプリング４５により常時前記ロック部材３８と反対方向に付勢されている。上記ストッパー４４にはストッパ片４６が形成されており、前記ロック部材３８がロック解除位置に移動したときに、そのストッパ片４６がロック部材３８に設けられた突起部４７に係合し、ロック部材３８をそのロック位置に自動固定するようにしてある（図５）。さらに上記ストッパー４４には下方に延びるストップ解除杆４８が形成されており、そのストップ解除杆４８の下端部には、前記ボス２６との当接によりストッパー４４をスプリング４５に抗して揺動させ、ストッパ片４６を突起部４７から離脱させるロック解除作動部４８aが形成されている。
【００２１】
しかして、チャイルドシート３０をベビーカー本体に装着する場合には、図６に示すように、展開状態のベビーカー本体の上方から左右のアームレスト１６間にチャイルドシート３０の下部を挿入するとともに、チャイルドシート３０の左右のハンドル取付ケース３２をアームレスト１６の上部及び外側に係合させる。そこで、チャイルドシート３０が下降してロック部材３８におけるロック部材３８の案内面３９aがベビーカー本体のボス２６に当接すると、その案内面３９aによってロック部材３８がスプリング４０に抗して図４において反時計方向に回動される。したがって、爪部３９が切り欠き３６から側方に移動され、ハンドル取付ケース３２の切り欠き３６がボス２６に係合される。
【００２２】
このようにしてボス２６にハンドル取付ケース３２の切り欠き３６が係合すると、ロック部材３８がスプリング４０によって図４において時計方向に回動し、爪部３９がボス２６の下方に係合する。したがって、チャイルドシート３０がその位置にロックされ、さらにハンドル取付ケース３２の前部及び後部がアームレスト１６上に載置されるとともにベルトガイド３３がパイプ１８に当接し、チャイルドシート３０がベビーカー本体に装着固定され（図７）、ベビーカーとして機能させることができる。
【００２３】
一方、チャイルドシート３０をベビーカー本体から取り外す場合には、摘み４２を持って図５に示すように上方に回動させると、ロック部材３８が反時計方向に回動し爪部３９がロック解除位置に移動される。このようにしてロック部材３８がロック解除位置に回動すると、ストッパー４４がスプリング４５によって軸４３を中心として揺動し、ストッパ片４６がロック部材３８の突起部４７に係合し、ロック部材３８の回動が阻止されロック部材３８がそのロック解除位置に自動固定される。
【００２４】
そこで、チャイルドシート３０を上方に持ち上げることによってチャイルドシート３０をベビーカー本体から取り外すことができる。一方、上述のようにチャイルドシート３０を持ち上げると、その途中においてロック解除作動部４８aがボス２６に当接してストッパー４４がスプリング４５に抗して軸４３を中心として時計方向に回動される。したがって、ストッパ片４６が突起部４７から離脱し、そのストッパ作用がなくなる。そのため、ロック部材３８がスプリング４０によりロック解除位置から図４に示すような位置に自動復帰される。
【００２５】
また、上述のようにベビーカー本体からチャイルドシート３０を取り外した場合には、一般にベビーカー本体にはシートの座部４９がすでに固定された状態で構成されているため、手押し杆を構成する左右のパイプ１８の中間部にシートのリクライニング調節用のベルト２７を取付け、そのベルト２７を利用して図８に示すようにシートの背部分５０を取り付けるだけで、チャイルドシート３０を使用しないベビーカーとして機能させることができる。さらに、ベビーカーとして使用しない場合にはチャイルドシート３０を取り外すことにより、図２のように三つ折りに畳むこともできる。
【００２６】
【発明の効果】
以上説明したように、本発明は、ベビーカー本体の左右のアームレストの外側面にボスを突出するとともに、チャイルドシートの両側に上記ボスに係合しロックするロック装置を設けたので、専用のアタッチメント部品等を必要とせずに、ベビーカー本体に対してチャイルドシートを着脱自在とすることができ、しかもデザインへの影響も最小限に押さえることができ、車体をコンパクトにできる。さらに、チャイルドシートを使用しない場合にもベビーカーとしての機能を持たせることができ、三つ折りに畳むことができるベビーカーにも十分適用することもできる。
【図面の簡単な説明】
【図１】本発明に適用するベビーカー本体の概略構成を示す斜視図。
【図２】図１に示すベビーカー本体の折り畳んだ状態を示す図。
【図３】チャイルドシートの形状を示す図。
【図４】本発明におけるロック装置のロック状態を示す断面図。
【図５】本発明におけるロック装置のロック解除状態を示す断面図。
【図６】ベビーカー本体へのチャイルドシート取付作動説明図。
【図７】ベビーカー本体にチャイルドシートを取付けた状態を示す図。
【図８】チャイルドシートを使用せずにベビーカーとしての機能を持たせた状態を示す図。
【符号の説明】
１６  アームレスト
２６  ボス
２７  リクライニング調節用のベルト
３０  チャイルドシート
３１  ハンドル
３２  ハンドル取付ケース
３３  ベルトガイド
３５  ロック装置
３８  ロック部材
３９  爪部
４２  摘み
４４  ストッパー
４６  ストッパ片
４７  突起部
４８  ストップ解除杆
【図１】
0004841722.tif 000002
【図２】
0004841722.tif 000003
【図３】
0004841722.tif 000004
【図４】
0004841722.tif 000005
【図５】
0004841722.tif 000006
【図６】
0004841722.tif 000007
【図７】
0004841722.tif 000008
【図８】
0004841722.tif 000009